(57)【要約】【課題】電子化された展開接続図データに基づいて、電源ルート、遮断器の動作、リレー動作などを自動検査し、検査結果を確認容易とする。【解決手段】本発明の一態様において、プログラム２ａは、コンピュータ１に、展開接続図データ９ａを取得する機能３、検査条件を受け付ける機能４、展開接続図データ９ａを複数の要素間の接続関係に展開する機能５、検査条件と展開結果とに基づいて制御電源の印加された電源ラインのシミュレーションを実行する機能６、シミュレーション結果に基づいて、制御電源の印加された電源ラインが正常か判断する判断機能７、判断機能７で正常と判断された場合、展開接続図データ９ａの内容とともに制御電源の印加された電源ラインを正常状態で表示し、判断機能７で異常と判断された場合、展開接続図データ９ａの内容とともに制御電源の印加された電源ラインを異常状態で表示するための制御を実行する機能８を実現させる。【選択図】      図１
2005352883.tif 000002
【特許請求の範囲】
【請求項１】
コンピュータに、
ＣＡＤを用いて電気機器に備えられる複数の要素間の接続関係が記述されており電子化されている展開接続図データを取得する機能、
前記展開接続図データに対する検査条件を受け付ける機能、
前記展開接続図データを前記複数の要素間の接続関係に展開する機能、
前記検査条件と展開された前記複数の要素間の接続関係とに基づいて、制御電源が印加された場合の電源ラインの回路シミュレーションを実行するシミュレーション機能、
前記回路シミュレーションの結果に基づいて、前記制御電源の印加された電源ラインが正常か判断する判断機能、
前記判断機能で正常と判断された場合、前記展開接続図データの内容とともに前記制御電源の印加された電源ラインが正常である旨を表す正常指標を表示し、前記判断機能で異常と判断された場合、前記展開接続図データの内容とともに前記制御電源の印加された電源ラインが異常である旨を表す異常指標を表示するための制御を実行する表示制御機能
を実現させるための回路シミュレーションプログラム。
【請求項２】
請求項１記載の回路シミュレーションプログラムにおいて、
前記表示制御機能は、前記正常指標として、前記展開接続図データ中の前記制御電源の印加された電源ラインを正常を表す色で描き、前記異常指標として、前記展開接続図データ中の前記制御電源の印加された電源ラインを異常を表す色で描くための制御を実行することを特徴とする回路シミュレーションプログラム。
【請求項３】
請求項１又は請求項２記載の回路シミュレーションプログラムにおいて、
前記判断機能は、前記制御電源の印加された電源ラインがつながっている場合を正常、つながっていない場合を異常と判断することを特徴とする回路シミュレーションプログラム。
【請求項４】
請求項１乃至請求項３のいずれか１項に記載の回路シミュレーションプログラムにおいて、
前記判断機能は、前記制御電源の印加された電源ラインに備えられる端子台がつながっている場合を正常、つながっていない場合を異常と判断することを特徴とする回路シミュレーションプログラム。
【請求項５】
請求項１乃至請求項４のいずれか１項に記載の回路シミュレーションプログラムにおいて、
前記判断機能は、前記制御電源の印加された電源ラインに備えられるリレーの端子電圧が正常か判断することを特徴とする回路シミュレーションプログラム。
【請求項６】
請求項１乃至請求項５のいずれか１項に記載の回路シミュレーションプログラムにおいて、
前記検査条件は、前記制御電源の印加された電源ラインに備えられるリレー接点の入切条件を含み、
前記判断機能は、前記リレー接点の動作が正常か判断する
ことを特徴とする回路シミュレーションプログラム。
【請求項７】
請求項１乃至請求項６のいずれか１項に記載の回路シミュレーションプログラムにおいて、
前記検査条件は、前記制御電源の印加された電源ラインに備えられる遮断器の入切条件を含み、
前記判断機能は、前記遮断器の動作が正常か判断する
ことを特徴とする回路シミュレーションプログラム。
【請求項８】
請求項１乃至請求項７のいずれか１項に記載の回路シミュレーションプログラムにおいて、
前記検査条件は、断線の条件を含み、
前記シミュレーション機能は、前記断線の条件にしたがって前記制御電源における回り込みの発生した電源ラインについて回路シミュレーションを実行し、
前記表示制御機能は、前記制御電源における回り込みの発生した電源ラインを表す回り込み指標を、前記展開接続図データの内容とともに表示するための制御を実行する
ことを特徴とする回路シミュレーションプログラム。
【請求項９】
請求項８記載の回路シミュレーションプログラムにおいて、
前記表示制御機能は、前記回り込み指標として、前記展開接続図データ中の前記制御電源における回り込みの発生した電源ラインを回り込みを表す色で描くことを特徴とする回路シミュレーションプログラム。
【請求項１０】
コンピュータに、
ＣＡＤを用いて電気機器に備えられる複数の要素間の接続関係が記述されており電子化されている展開接続図データを取得する機能、
サージ電圧の印加条件を含む検査条件を受け付ける機能、
前記展開接続図データを前記複数の要素間の接続関係に展開する機能、
前記検査条件と展開された前記複数の要素間の接続関係とに基づいて、前記サージ電圧の印加された場合の回路シミュレーションを実行するシミュレーション機能、
前記回路シミュレーションの結果に基づいて、前記サージ電圧の印加された電源ラインが正常か判断する判断機能、
前記判断機能で正常と判断された場合、前記展開接続図データの内容とともに前記サージ電圧の印加された電源ラインが正常である旨を表す正常指標を表示し、前記判断機能で異常と判断された場合、前記展開接続図データの内容とともに前記サージ電圧の印加された電源ラインが異常である旨を表す異常指標を表示するための制御を実行する表示制御機能
を実現させるための回路シミュレーションプログラム。
【請求項１１】
請求項１０記載の回路シミュレーションプログラムにおいて、
前記表示制御機能は、前記正常指標として、前記展開接続図データ中の前記サージ電圧の印加された電源ラインを正常を表す色で描き、前記異常指標として、前記展開接続図データ中の前記サージ電圧の印加された電源ラインを異常を表す色で描くための制御を実行することを特徴とする回路シミュレーションプログラム。
【請求項１２】
請求項１０又は請求項１１記載の回路シミュレーションプログラムにおいて、
前記判断機能は、前記サージ電圧の印加された電源ラインに備えられるサージ抑制回路が動作した場合を正常、動作しない場合を異常と判断することを特徴とする回路シミュレーションプログラム。
【請求項１３】
請求項１０乃至請求項１２のいずれか１項記載の回路シミュレーションプログラムにおいて、
前記判断機能は、前記サージ電圧の印加された電源ラインに備えられるリレーの動作が正常か判断することを特徴とする回路シミュレーションプログラム。
【請求項１４】
請求項１０乃至請求項１３のいずれか１項記載の回路シミュレーションプログラムにおいて、
前記判断機能は、前記サージ電圧の印加された電源ラインに備えられる遮断器の動作が正常か判断することを特徴とする回路シミュレーションプログラム。
【請求項１５】
ＣＡＤを用いて電気機器に備えられる複数の要素間の接続関係が記述されており電子化されている展開接続図データを取得する手段と、
前記展開接続図データに対する検査条件を受け付ける手段と、
前記展開接続図データを前記複数の要素間の接続関係に展開する手段と、
前記検査条件と展開された前記複数の要素間の接続関係とに基づいて、制御電源の印加された場合の回路シミュレーションを実行するシミュレーション手段と、
前記回路シミュレーションの結果に基づいて、前記制御電源の印加された電源ラインが正常か判断する判断手段と、
前記判断手段によって正常と判断された場合、前記展開接続図データの内容とともに前記制御電源の印加された電源ラインが正常である旨を表す正常指標を表示し、前記判断手段によって異常と判断された場合、前記展開接続図データの内容とともに前記制御電源の印加された電源ラインが異常である旨を表す異常指標を表示する表示手段と
を具備する回路シミュレーション装置。
【請求項１６】
ＣＡＤを用いて電気機器に備えられる複数の要素間の接続関係が記述されており電子化されている展開接続図データを取得する手段と、
サージ電圧の印加条件を含む検査条件を受け付ける手段と、
前記展開接続図データを前記複数の要素間の接続関係に展開する手段と、
前記検査条件と展開された前記複数の要素間の接続関係とに基づいて、前記サージ電圧の印加された場合の回路シミュレーションを実行するシミュレーション手段と、
前記回路シミュレーションの結果に基づいて、前記サージ電圧の印加された電源ラインが正常か判断する判断手段と、
前記判断手段によって正常と判断された場合、前記展開接続図データの内容とともに前記サージ電圧の印加された電源ラインが正常である旨を表す正常指標を表示し、前記判断手段によって異常と判断された場合、前記展開接続図データの内容とともに前記サージ電圧の印加された電源ラインが異常である旨を表す異常指標を表示する表示手段と
を具備する回路シミュレーション装置。
【発明の詳細な説明】
【技術分野】
【０００１】
本発明は、電気機器の接続及び動作の検査に用いられる回路シミュレーションプログラム及び装置に関する。
【背景技術】
【０００２】
電源設備を含む電気機器の不適合箇所、不適合動作は、展開接続図（シーケンス図）で表されている電源ルート、遮断器の動作、リレー動作などを検査者が目視し、判断している。
【０００３】
従来のハードウェアシミュレーション装置は、使用モデルに記述された各動作要求及び各実行要求時刻を読み取る過程で、先に記憶されている各動作要求のうち各実行要求時刻相互の関係に起因して実行されずに削除される動作要求を検出し、この検出した削除動作要求を表示出力する（例えば、特許文献１参照）。
【特許文献１】特開平６−２６６７８６号公報
【発明の開示】
【発明が解決しようとする課題】
【０００４】
電気機器の配線が複雑になった場合又は電気機器に備えられる要素の数が多くなった場合、検査者の目視による判断では、時間と労力とがかかり、正確な検査が困難になる。
【０００５】
上記特許文献１では、動作要求に対して動作が実行されない動作要求が検出される。これにより、設計者は、動作の実行されない動作要求を迅速に把握可能である。しかしながら、上記特許文献１において、設計者は、論理回路等のハードウェアについて、動作の実行されない動作要求を把握した場合であっても、電源ルート、遮断器の動作、リレー動作がどの部分で不適合であるか、具体的に判断することは困難であり、時間及び労力もかかる。
【０００６】
本発明は、以上のような実情に鑑みてなされたもので、電子化された展開接続図データに基づいて、電源ルート、遮断器の動作、リレー動作を自動検査する回路シミュレーションプログラム及び装置を提供することを目的とする。
【課題を解決するための手段】
【０００７】
上記課題は、例えば、コンピュータに、ＣＡＤを用いて電気機器に備えられる複数の要素間の接続関係が記述されており電子化されている展開接続図データを取得する機能、展開接続図データに対する検査条件を受け付ける機能、展開接続図データを複数の要素間の接続関係に展開する機能、検査条件と展開された複数の要素間の接続関係とに基づいて、制御電源の印加された場合の回路シミュレーションを実行するシミュレーション機能、回路シミュレーションの結果に基づいて、制御電源の印加された電源ラインが正常か判断する判断機能、判断機能で正常と判断された場合、展開接続図データの内容とともに制御電源の印加された電源ラインが正常である旨を表す正常指標を表示し、判断機能で異常と判断された場合、展開接続図データの内容とともに制御電源の印加された電源ラインが異常である旨を表す異常指標を表示するための制御を実行する表示制御機能を実現させるための回路シミュレーションプログラムにより解決される。
【０００８】
また、上記課題は、例えば、コンピュータに、ＣＡＤを用いて電気機器に備えられる複数の要素間の接続関係が記述されており電子化されている展開接続図データを取得する機能、サージ電圧の印加条件を含む検査条件を受け付ける機能、展開接続図データを複数の要素間の接続関係に展開する機能、検査条件と展開された複数の要素間の接続関係とに基づいて、サージ電圧の印加された場合の回路シミュレーションを実行するシミュレーション機能、回路シミュレーションの結果に基づいて、サージ電圧の印加された電源ラインが正常か判断する判断機能、判断機能で正常と判断された場合、展開接続図データの内容とともにサージ電圧の印加された電源ラインが正常である旨を表す正常指標を表示し、判断機能で異常と判断された場合、展開接続図データの内容とともにサージ電圧の印加された電源ラインが異常である旨を表す異常指標を表示するための制御を実行する表示制御機能
を実現させるための回路シミュレーションプログラムにより解決される。
【発明の効果】
【０００９】
本発明により、電子化された展開接続図データに基づいて、電源ルート、端子台の接続、遮断器の動作、リレー動作などを自動検査し、検査結果を容易に確認できる。
【発明を実施するための最良の形態】
【００１０】
以下、図面を参照しながら本発明の実施の形態について説明する。なお、以下の各図において同一の要素には同一の符号を付して説明を省略し、異なる部分についてのみ詳しく説明する。
【００１１】
（第１の実施の形態）
本実施の形態では、ＣＡＤ（Computer Aided Design）を用いて記述され、電子化されている展開接続図データに基づいて、電気機器に含まれる各構成要素間の配線接続の不適合、電源ラインの不適合、遮断器又はリレーの動作不適合の具体的検査に用いられる回路シミュレーションプログラムについて説明する。
【００１２】
図１は、本実施の形態に係る回路シミュレーションプログラムの一例を示すブロック図である。
【００１３】
コンピュータ１は、記録媒体２に記録されている回路シミュレーションプログラム２ａを読み出し、実行する。すると、コンピュータ１は、回路シミュレーションプログラム２ａにしたがって動作し、回路シミュレーション装置としての機能を実現する。
【００１４】
回路シミュレーションプログラム２ａは、コンピュータ１に、取得機能３、条件受付機能４、展開機能５、シミュレーション機能６、判断機能７、表示制御機能８を実現させる。
【００１５】
なお、判断機能７は、電源ライン判断機能７１、端子台判断機能７２、リレー端子電圧判断機能７３、リレー接点判断機能７４、遮断器判断機能７５を具備する。
【００１６】
取得機能３は、記録部９に記録されている展開接続図データ９ａを取得する。
【００１７】
図２及び図３は、展開接続図データ９ａの例を示す図である。
【００１８】
この展開接続図データ９ａは、検査対象の電気機器における例えば電源、端子台、リレー、遮断器、負荷、基板などの各種要素（機器、器具、部品）の間の接続関係が回路図で表され、また要素の接続関係がテーブルで管理されている。
【００１９】
条件受付機能４は、検査者１０から入力装置１ａ経由で、例えば検査対象の電源ラインの指定、検査対象の電源ラインに備えられているリレー接点の入切条件、検査対象の電源ラインに備えられている遮断器の入切条件、検査対象の電源ラインにおける異常発生部の指定、断線の条件などのような、検査に必要となる各種条件を受け付ける。
【００２０】
なお、検査を行う電源ラインの指定は、例えば制御電源を指定してもよく、検査対象の電源ラインの一部分を指定してもよい。
【００２１】
展開機能５は、展開接続図データ９ａを複数の要素間の接続関係に展開する。
【００２２】
シミュレーション機能６は、取得機能３によって取得された展開接続図データ９ａの示す接続関係と条件受付機能４によって受け付けられた条件内容とから制御電源の印加される電源ラインを認識する。
【００２３】
そして、シミュレーション機能６は、検査条件と展開された複数の要素間の接続関係とに基づいて、制御電源の印加された場合の回路シミュレーションを実行する。
【００２４】
また、シミュレーション機能６は、検査条件に含まれている断線条件にしたがって、制御電源における回り込みの発生した電源ラインについて回路シミュレーションを実行する。
【００２５】
判断機能７は、回路シミュレーションの実行結果に基づいて、検査条件における制御電源の印加された電源ラインについて接続、動作が正常か否か判断する。
【００２６】
なお、制御電源の印加された電源ラインにおける異常発生部は、検査者１０による異常発生部の指定から認識されるとしてもよく、展開接続図データ９ａの示す接続関係と、リレーの入切条件、遮断器の入切条件などのような検査者１０の条件の内容とに基づいて回路の動作状態を解析し、この解析結果から認識されるとしてもよい。
【００２７】
具体的には、判断機能７における電源ライン判断機能７１は、制御電源の印加された電源ラインがつながっているか判断する。
【００２８】
端子台判断機能７２は、制御電源の印加された電源ラインに備えられる端子台がつながっているか判断する。
【００２９】
リレー端子電圧判断機能７３は、制御電源の印加された電源ラインに備えられるリレーの端子電圧が正常か判断する。
【００３０】
リレー接点判断機能７４は、制御電源の印加された電源ラインに備えられるリレー接点の動作が正常か判断する。
【００３１】
遮断器判断機能７５は、制御電源の印加された電源ラインに備えられる遮断器の動作が正常か判断する。
【００３２】
表示制御機能８は、判断機能７の判断結果に基づいて、制御電源の印加された電源ラインが正常な場合に、展開接続図データ９ａの示す接続関係と条件受付機能４によって受け付けられた条件の内容とに基づいて、表示装置１ｂに対して制御電源の印加された電源ラインが正常である旨の正常指標を、展開接続図データ９ａの内容とともに表示するための制御を実行する。
【００３３】
例えば、正常時には、図４及び図５に示すように、展開接続図データ９ａの内容とともに、検査対象の電源ラインが赤線で表示される。
【００３４】
図４及び図５では、電源「ＤＣ１００Ｖ」に関する電源ラインが赤線（太線）で表示されている。このため、検査者１０は、電源「ＤＣ１００Ｖ」に関する電源ラインを容易に把握可能であり、また正常に接続及び動作することを把握できる。
【００３５】
図４の電源Ｎラインでは、負荷にＤＣ１００Ｖの電圧がかかり、ＭＣＲ、補助リレー（補助Ｒｙ）が正常に動作している。
【００３６】
一方、表示制御機能８は、判断機能７の判断結果に基づいて、制御電源の印加された電源ラインが異常な場合、展開接続図データ９ａの示す接続関係と条件受付機能４によって受け付けられた条件とに基づいて、表示装置１ｂに対して制御電源の印加された電源ラインが異常である旨の異常指標を、展開接続図データ９ａの内容とともに表示するための制御を実行する。これにより、異常電源ラインが表示される。
【００３７】
例えば、異常時には、図６に示すように、展開接続図データ９ａの内容とともに、電源異常ラインが青線で表示される。
【００３８】
図６では、電源「ＤＣ１００Ｖ」に関する電源異常ラインが青線（太線）で表示されている。このため、検査者１０は、電源「ＤＣ１００Ｖ」に関する電源異常ラインを容易に把握可能である。図６では、負荷の電圧が約ＤＣ２０Ｖになり、ＭＣＲ、補助Ｒｙが正常に動作しない場合を表している。
【００３９】
具体的には、図６は、上記図４の電源Ｎライン盤間渡りで接続不良が発生した場合を表している（Ａ１）。この場合、電源ＮラインのＢ部がＮからＰ’の電位になり、ダイオード「27B2TX4」を通してダイオード「27B2TX1」が通電状態となる（Ａ２）。これにより、ダイオード「27B2TX1」が動作する（Ａ３）。この結果、ＶＣＢトリップとなり、停電となる（Ａ４）。
【００４０】
表示制御機能８は、シミュレーション機能６において制御電源における回り込みの発生した電源ラインについて回路シミュレーションが実行された場合に、展開接続図データ９ａの内容とともに、この制御電源における回り込みの発生した電源ラインを表示するための制御を実行する。
【００４１】
図７は、本実施の形態に係る回路シミュレーションプログラム２ａによる処理の一例を示すフローチャートである。
【００４２】
ステップＳ１において、取得機能３は、記録部９から展開接続図データ９ａを取得する。
【００４３】
ステップＳ２において、展開機能５は、展開接続図データ９ａを複数の要素間の接続関係に展開する。
【００４４】
ステップＳ３において、条件受付機能４は、検査者１０から入力装置１ａ経由で、検査に必要となる各種条件を受け付ける。
【００４５】
なお、ステップＳ２，Ｓ３の実行順序は、逆でもよく、並列に実行されるとしてもよい。
【００４６】
ステップＳ４において、シミュレーション機能６は、受け付けられた各種条件と展開された複数の要素間の接続関係とに基づいて、制御電源が印加された場合の電源ラインの回路シミュレーションを実行する。
【００４７】
ステップＳ５〜Ｓ９において、判断機能７の各機能７１〜７５は、制御電源が印加された電源ラインが正常か判断する。
【００４８】
具体的には、ステップＳ５において、電源ライン判断機能７１は、制御電源の印加された電源ラインがつながっている場合を正常と判断し、つながっていない場合を異常と判断する。
【００４９】
ステップＳ６において、端子台判断機能７２は、制御電源の印加された電源ラインに備えられる端子台がつながっている場合を正常と判断し、つながっていない場合を異常と判断する。
【００５０】
ステップＳ７において、リレー端子電圧判断機能７３は、制御電源の印加された電源ラインに備えられるリレーの端子電圧が正常か判断する。
【００５１】
ステップＳ８において、リレー接点判断機能７４は、制御電源の印加された電源ラインに備えられるリレー接点の動作が正常か判断する。
【００５２】
ステップＳ９において、遮断器判断機能７５は、制御電源の印加された電源ラインに備えられる遮断器の動作が正常か判断する。
【００５３】
なお、上記ステップＳ５〜Ｓ９の実行順序は自由に変更可能であり、並列に実行されるとしてもよい。
【００５４】
制御電源の印加された電源ラインが正常な場合、ステップＳ１０において、表示制御機能８は、制御電源の印加された電源ラインについて正常なラインである旨を識別可能な状態で表示装置１ｂに表示させるための制御を実行する。
【００５５】
制御電源の印加された電源ラインが異常な場合、ステップＳ１１において、表示制御機能８は、制御電源の印加された電源ラインについて電源異常ラインである旨を識別可能な状態で表示装置１ｂに表示させるための制御を実行する。
【００５６】
図８は、本実施の形態に係る回路シミュレーションプログラム２ａによる回り込みに関する処理の一例を示すフローチャートである。
【００５７】
ステップＴ１において、取得機能３は、記録部９から展開接続図データ９ａを取得する。
【００５８】
ステップＴ２において、展開機能５は、展開接続図データ９ａを複数の要素間の接続関係に展開する。
【００５９】
ステップＴ３において、条件受付機能４は、断線条件を含む検査条件を受け付ける。
【００６０】
なお、ステップＴ２，Ｔ３の実行順序は、逆でもよく、並列に実行されるとしてもよい。
【００６１】
ステップＴ４において、シミュレーション機能６は、受け付けられた断線条件などの各種条件と展開された複数の要素間の接続関係とに基づいて、断線の発生した場合における回り込みの発生した電源ラインの回路シミュレーションを実行する。
【００６２】
ステップＴ５において、表示制御機能８は、制御電源における回り込みの発生した電源ラインについて回り込みラインである旨を識別可能な状態で表示装置１ｂに表示させるための制御を実行する。
【００６３】
以上説明した本実施の形態では、ＣＡＤを用いて作成された展開接続図データ９ａに基づいて、シミュレートした直流制御電源印加を該当するリレー・遮断器を含む展開接続図データ画面に展開することができ、正常時の電源ラインの接続関係、動作状態を容易に確認できる。
【００６４】
また、直流制御電源ライン等の断線をシミュレートでき、電源の回り込みによるリレー・遮断機等の不要動作を容易に確認できる。
【００６５】
また、遮断器等の入切条件を入力することにより、遮断器等の動作を容易に確認することができる。
【００６６】
また、リレー接点の入切条件を入力することにより、リレー等の動作を容易に確認することができる。
【００６７】
（第２の実施の形態）
本実施の形態においては、電気機器において例えば雷などによりサージ電圧が印加された場合の遮断器、リレー動作等を、ＣＡＤを用いて作成された展開接続図データ９ａに基づいて確認するための回路シミュレーションプログラムについて説明する。
【００６８】
図９は、本実施の形態に係る回路シミュレーションプログラムの一例を示すブロック図である。
【００６９】
コンピュータ１は、記録媒体１１に記録されている回路シミュレーションプログラム１１ａを読み出し、実行する。すると、コンピュータ１は、回路シミュレーションプログラム１１ａにしたがって動作し、回路シミュレーション装置としての機能を実現する。
【００７０】
回路シミュレーションプログラム１１ａは、コンピュータ１に、取得機能３、展開機能５、条件受付機能１２、シミュレーション機能１３、判断機能１４、表示制御機能１５を実現させる。
【００７１】
なお、判断機能１４は、サージ抑制判断機能１４１、リレー判断機能１４２、遮断器判断機能１４３を具備する。
【００７２】
本実施の形態において、条件受付機能１２は、サージ電圧の印加条件、サージ抑制回路の動作状態の指定、リレーの入切条件及び動作状態、遮断器の入切条件及び動作状態などのような、サージが発生した場合の検査に必要となる検査条件を受け付ける。なお、サージ電圧の印加条件としては、サージの入力位置、サージの電圧レベルなどが含まれる。
【００７３】
シミュレーション機能１３は、検査条件と展開された複数の要素間の接続関係とに基づいて、サージ電圧の印加された電源ラインを認識し、サージ電圧の印加された場合の回路シミュレーションを実行する。
【００７４】
判断機能１４は、回路シミュレーションの実行結果に基づいて、サージの発生した電源ラインを認識し、検査条件にしたがってサージ電圧の印加された電源ラインについて接続、動作が正常か否か判断する。
【００７５】
具体的には、判断機能１４におけるサージ抑制判断機能１４１は、サージ電圧の印加された電源ラインにおいてサージ抑制回路が動作していれば正常と判断する。
【００７６】
リレー判断機能１４２は、サージ電圧の印加された電源ラインに備えられるリレーが正常に動作しているか判断する。
【００７７】
遮断器判断機能１４３は、サージ電圧の印加された電源ラインに備えられる遮断器が正常に動作しているか判断する。
【００７８】
表示制御機能１５は、展開接続図データ９ａの示す接続関係と判断機能１４の各機能１４１〜１４３の判断結果に基づいて、展開接続図データ９ａの内容とともに、サージ電圧の印加された電源ラインについて正常に動作している部分について正常指標を表示し、異常の生じている部分について異常指標を表示するための制御を実行する。
【００７９】
例えば、正常の動作している機器を赤色で表示し、異常の発生している機器を青色で表示する。
【００８０】
図１０は、本実施の形態に係る回路シミュレーションプログラム１１ａによる処理の一例を示すフローチャートである。
【００８１】
ステップＵ１において、取得機能３は、記録部９から展開接続図データ９ａを取得する。
【００８２】
ステップＵ２において、展開機能５は、展開接続図データ９ａを複数の要素間の接続関係に展開する。
【００８３】
ステップＵ３において、条件受付機能１２は、検査者１０から入力装置１ａ経由で、サージ電圧の印加条件を含む検査条件を受け付ける。
【００８４】
なお、ステップＵ２，Ｕ３の実行順序は、逆でもよく、並列に実行されるとしてもよい。
【００８５】
ステップＵ４において、シミュレーション機能１３は、受け付けられたサージ電圧の印加条件と展開された複数の要素間の接続関係とに基づいて、サージ電圧の印加された電源ラインの回路シミュレーションを実行する。
【００８６】
ステップＵ５において、サージ抑制判断機能１４１は、サージ電圧の印加された電源ラインにおいてサージ抑制回路が動作している場合に正常であると判断する。
【００８７】
ステップＵ６において、リレー判断機能１４２は、サージ電圧の印加された電源ラインに備えられるリレーが正常に動作しているか判断する。
【００８８】
ステップＵ７において、遮断器判断機能１４３は、サージ電圧の印加された電源ラインに備えられる遮断器が正常に動作しているか判断する。
【００８９】
なお、上記ステップＵ５〜Ｕ７までの処理の順序は、自由に変更してもよく、また並列に実行されるとしてもよい。
【００９０】
ステップＵ８において、表示制御機能１５は、機能１４１〜１４３の判断結果と展開接続図データ９ａの示す接続関係とに基づいて、展開接続図データ９ａの内容とともに、正常に動作している機器について正常である旨の指標を表示し、異常の生じている機器について異常である旨の指標を表示するための制御を実行する。
【００９１】
例えば、正常の動作している機器を赤色で表示し、異常の発生している機器を青色で表示する。
【００９２】
以上説明した本実施の形態では、ＣＡＤを用いて作成された展開接続図データ９ａに基づいて、正常時の電源ラインに加えてサージ電圧の印加された電源ラインの状態を容易に確認できる。
【００９３】
また、電子化された展開接続図データ９ａにおいて、サージが入力された場合に電源ライン上で電源異常が発生するか否か確認できる。
【００９４】
また、電子化された展開接続図データ９ａにおいて、サージが入力された場合にリレーや遮断器の不要動作を確認できる。
【００９５】
なお、上記各実施の形態において、各構成要素は同様の動作を実現可能であれば自由に変形可能であり、各構成要素の配置を変更させてもよく、また、各構成要素を自由に組み合わせてもよく、各構成要素を自由に分割してもよい。
【００９６】
例えば、回路シミュレーションプログラム２ａ，１１ａを組み合わせてもよい。
【００９７】
上記各実施の形態においてコンピュータ１により実現される各機能３〜８，１２〜１５は、ハードウェアにより実現されるとしてもよい。
【００９８】
上記各実施の形態において、記録媒体２，１１及び記録部９は、コンピュータに内蔵されていてもよく、分離構造でもよい。
【００９９】
回路シミュレーションプログラム２ａ，１１ａは、それぞれ例えば磁気ディスク（フレキシブルディスク、ハードディスク等）、光ディスク（ＣＤ−ＲＯＭ、ＤＶＤ等）、半導体メモリなどの記録媒体２，１１に書き込み、コンピュータ１に適用可能である。
【０１００】
また、この回路シミュレーションプログラム２ａ，１１ａを通信媒体により伝送し、コンピュータ１に適用することも可能である。コンピュータ１は、回路シミュレーションプログラム２ａ，１１ａを読み込み、回路シミュレーションプログラム２ａ，１１ａによって動作が制御されることにより、各機能３〜８，１２〜１５を実現する。
【産業上の利用可能性】
【０１０１】
本発明は、回路シミュレーションの分野に有効である。
【図面の簡単な説明】
【０１０２】
【図１】本発明の第１の実施の形態に係る回路シミュレーションプログラムの一例を示すブロック図。
【図２】展開接続図の第１例を示す図。
【図３】展開接続図の第２例を示す図。
【図４】正常な電源ラインの第１例を示す図。
【図５】正常な電源ラインの第２例を示す図。
【図６】異常な電源ラインの一例を示す図。
【図７】同実施の形態に係る回路シミュレーションプログラムによる処理の一例を示すフローチャート。
【図８】同実施の形態に係る回路シミュレーションプログラムによる回り込みに関する処理の一例を示すブロック図。
【図９】本発明の第２の実施の形態に係る回路シミュレーションプログラムの一例を示すブロック図。
【図１０】同実施の形態に係る回路シミュレーションプログラムによる処理の一例を示すフローチャート。
【符号の説明】
【０１０３】
１…コンピュータ、１ａ…入力装置、１ｂ…表示装置、２，１１…記録媒体、２ａ，１１ａ…回路シミュレーションプログラム、３…取得機能、４，１２…条件受付機能、５…展開機能、６，１３…シミュレーション機能、７，１４…判断機能、７１…電源ライン判断機能、７２…端子台判断機能、７３…リレー端子電圧判断機能、７４…リレー接点判断機能、７５…遮断器判断機能，１４１…サージ抑制判断機能、１４２…リレー判断機能、１４３…遮断器判断機能、８，１５…表示制御機能、９…記録部、９ａ…展開接続図データ、１０…検査者
【図１】
2005352883.tif 000003
【図２】
2005352883.tif 000004
【図３】
2005352883.tif 000005
【図４】
2005352883.tif 000006
【図５】
2005352883.tif 000007
【図６】
2005352883.tif 000008
【図７】
2005352883.tif 000009
【図８】
2005352883.tif 000010
【図９】
2005352883.tif 000011
【図１０】
2005352883.tif 000012